(57)【要約】【課題】内容物を塗布したり注入したりする際にソフトな肌当たりであって、簡易構造により低コストに生産することができる、内容物の保持、塗布若しくは注入を行うための容器を提供する。【解決手段】塗布・注入容器１０を、押圧変形可能な胴部１２ａと、先端部に開口部１２ｄを備えたノズル部１２ｃとを一体的に形成し、その内部に内容物を収納する容器本体１２と、容器本体１２のノズル部１２ｃを被覆するノズルカバー１３と、該ノズルカバー１３の少なくともノズル部分を包被するキャップ１１とで構成した。ノズルカバー１３は、弾性変形可能なゴム素材で構成し、その先端部に内容物の吐出口である、複数の切れ目を交叉させて形成した十字状のスリット１３ｃを形成した。【選択図】      図８
2004229887.tif 000002
【特許請求の範囲】
【請求項１】
内容物の塗布若しくは注入をするための容器であって、
押圧変形可能な胴部と、人体の所定の部位に塗布若しくは挿入可能であって先端部に開口部を備えたノズル部とを、一体的に形成し、その内部に内容物を収納する容器本体と、
略半球状に形成した先端部に内容物の吐出口を備え、容器本体のノズル部を被覆するノズルカバーと、
該ノズルカバーの少なくともノズル部分を包被するキャップとを
備えて成ることを特徴とする容器。
【請求項２】
前記ノズルカバーに形成される吐出口を、少なくとも複数本の切れ目を交叉させて形成したスリットとした、請求項１に記載の容器。
【請求項３】
前記ノズルカバーをゴム素材で構成した、請求項１又は請求項２に記載の容器。
【発明の詳細な説明】
【０００１】
【発明の属する技術分野】
本発明は、膣若しくは肛門又はその周囲への潤滑剤等の内容物を塗布若しくは注入するための容器の構造に関する。
【０００２】
【従来の技術】
発明者等は、アンケート調査により、更年期における女性の約半数は性交時に「潤い不足」による痛みを感じており、さらに閉経後には、９０％以上にも上るとの結果を得た。更年期における女性は、エストロゲンの低下により、膣内膜が薄く萎縮し、潤いが少なくなるという変化が起こる。なお、「潤い不足」は、個人の体質や、高いストレスを受けた場合などにも起こりうる。
また、更年期における女性は、膣内の自浄作用が低下するため、病気に感染しやすくなり、性欲自体も減少する。
一方、男性の性機能は緩やかに減退する傾向にあり、ここにおいて、男女間の心理的なひずみが生じ、中高年の性の不一致問題の一つとして存在する。
そこで、従来、性行時における女性性器周辺部の潤い不足を解消すべく、膣の内外にオイルやジェル剤などの潤滑剤を塗布することがある。
【０００３】
また、例えば、膣、子宮若しくは大腸内の検査時に、膣や肛門内に、先端にＣＣＤカメラを埋め込んだグラスファイバーケーブルなどを円滑に挿入するために、膣や肛門の内外に潤滑剤を塗布することがある。
【０００４】
これらの状況下で使用される潤滑剤は、数回にわたって使用できる量がチューブ状や、ボトル状の容器内に収容されているものであって、潤滑剤を容器内より必要量だけ取り出して、目的部位に塗布するというものであった。
しかし、このように大量の潤滑剤を内包するタイプのものは、衛生的観点から見れば、最初の使用によって空気中の雑菌が容器内に侵入する可能性があり、これに対応すべく、潤滑剤の組成において雑菌の繁殖を抑制する成分を一定量含ませる必要がある。
そして、従来の大型の潤滑剤容器には、更年期による「潤い不足」の印象があり、携帯には向いていない。このため、容器の形状が、更年期に関係なく、女性の心情的に受け入れ難いものとなっている。
さらに、潤滑剤を指などにとり、膣や肛門の奥部にまで塗布する行為では、指先の衛生状態により、雑菌が人体の内部に侵入したり、爪などにより粘膜を傷つけたりするおそれがある。
また、特に、検査のための潤滑剤を膣や肛門の内部に塗布するときに、医者や看護婦によって自分の体内に指を挿入されることを望まない患者も多く、患者の心情的な面を考慮する必要がある。
なお、潤滑用のジェルなどをアルミフィルム等に封入したものも知られているが、アルミフィルムにより粘膜などを傷つける可能性があるほか、フィルムの突起部が皮膚に当たる際に、痛みを感じ、十分に潤滑剤と塗布することが困難な場合がある。
【０００５】
上述の問題点に鑑みて、一回の使用量だけを収容する使い捨てタイプの容器であって、膣や肛門の内外に容器の一部を利用して潤滑剤を塗布したり、膣や肛門内に容器の一部を挿入して潤滑剤を注入したりすることができる塗布・注入容器が提案されている。
例えば、特許文献１に記載の技術であり、この従来技術では、押圧変形可能な胴部と、膣や肛門内に挿入可能なノズル部とを有する容器本体と、ノズル部先端に外嵌されるキャップより塗布・注入容器が構成されている。そして、キャップの取り外し作業の際に迅速にノズル先端部全体を内容物で濡らすことができる構造とすることで、ノズル先端部などの容器の一部によって膣や肛門等の人体の適宜の部位に内容物を塗布することができるとともに、膣や肛門内へスムースにノズルを挿入できるものとされている。
【０００６】
【特許文献１】
特開２０００−３４２６８３号公報
【０００７】
【発明が解決しようとする課題】
本発明では、上記従来技術に鑑み、内容物を塗布したり注入したりする際にソフトな肌当たりであって、簡易構造により低コストに生産することができる、内容物の保持、塗布又は注入を行うための容器の構造を提案する。また、携帯性と女性性器周辺部の保護性を備え、潤滑剤塗布時における使い勝手が良く、衛生的な容器の構造を提案する。
【０００８】
【課題を解決するための手段】
本発明の解決しようとする課題は以上の如くであり、次にこの課題を解決するための手段を説明する。
【０００９】
即ち、請求項１においては、内容物の塗布若しくは注入をするための容器であって、押圧変形可能な胴部と、人体の所定の部位に塗布若しくは挿入可能であって先端部に開口部を備えたノズル部とを、一体的に形成し、その内部に内容物を収納する容器本体と、略半球状に形成した先端部に内容物の吐出口を備え、容器本体のノズル部を被覆するノズルカバーと、該ノズルカバーの少なくともノズル部分を包被するキャップとを備えて成るものである。
【００１０】
請求項２においては、前記ノズルカバーに形成される吐出口を、少なくとも複数本の切れ目を交叉させて形成したスリットとしたものである。
【００１１】
請求項３においては、前記ノズルカバーをゴム素材で構成したものである。
【００１２】
【発明の実施の形態】
次に、発明の実施の形態を説明する。
図１は本発明に係る塗布・注入容器の全体的な構成を示す正面図である。
図２は塗布・注入容器の形態を示す正面図、図３は同じく左側面図である。図４は同じく上面図、図５は同じく底面図、図６はキャップを外した塗布・注入容器の形態を示す正面図、図７は同じく上面図、図８は塗布・注入容器の全体的な構成を示す正面断面図である。
図９は塗布・注入容器の使用形態を示す図、図１０はノズルの周囲に内容物を塗着させるときの塗布・注入容器を示す正面断面図である。
なお、容器の背面図は正面図と略等しく、右側面図は左側面図と略等しい。
【００１３】
図１乃至図８は、本発明の一実施形態に係るジェル剤（潤滑剤）の容器１０を示しており、該容器１０は、主として、内容物であるジェル剤を収容・保持するだけでなく、該容器１０の構造を利用して、ジェル剤を人体の所定の部位（外陰部や肛門）に塗布したり、人体の所定の部位（膣や肛門内）に注入したりすることが可能とされている。
但し、本発明に係る容器１０は、内容物としての潤滑剤の塗布並びに注入に用途を限定されるものではなく、例えば、クリーム状又はジェル状の医薬品・化粧品等を内容物とし、該内容物の塗布及び注入、又は、塗布若しくは注入するために用いることができる。
【００１４】
この容器１０は、内容物であるジェル剤を収容する容器本体１２と、該容器本体１２のノズル部１２ｃを被覆するノズルカバー１３と、該ノズルカバー１３を包被する脱着可能なキャップ１１とを備えている。
【００１５】
容器本体１２は、略半球面状に形成された先端部の略中央に小径の開口部１２ｄが形成された略円筒状のノズル部１２ｃと、該ノズル部１２ｃの下方に連続して形成されたくびれ部１２ｅと、該くびれ部１２ｅの下方に連続して形成された押圧変形可能な胴部１２ａとが、一体的に形成されている。胴部１２ａは全体的に丸みを帯びた形状となっており、特にノズル側部分は滑らかな曲線を描いた形状に構成し、潤滑剤の塗布時に胴部１２ａが接触しても、皮膚や粘膜を傷つけず、使用者に痛みを与えない形状となっている。
前記容器本体１２のくびれ部１２ｅの外径は、ノズル部１２ｃ及び胴部１２ａよりも小径とされて、後述するノズルカバー１３をその形状により係止可能としている。
【００１６】
容器本体１２のノズル部１２ｃは、膣へのジェル剤塗布容器とする場合、直径が約１２ｍｍ〜１５ｍｍとし、先端までの全長が約２０ｍｍ〜４０ｍｍの範囲に寸法設計することが好ましい。また、ノズル部１２ｃを比較的厚肉に成形して、容易に変形しない強度を持たせることができる。若しくは、ノズル部１２ｃの径を大きくし、ノズル部１２ｃの外力に対する有効断面積を大きくとり、ノズル部１２ｃの剛性を確保して、容易に変形しないようにできる。
また、ノズル部１２ｃの外形を大きくとることにより、ノズルカバー１３の肉厚を薄くでき、ゴム材料の節約を行うことができ、製造コストの低減を図ることができる。そして、ノズルカバー１３との接触面積を大きくとることができ、ノズルカバー１３の脱落も抑制できる。
【００１７】
一方、容器本体１２の胴部１２ａは押圧変形可能なように薄肉に形成されており、ノズル部１２ｃよりも幅広にするともに、側面視において、胴部１２ａの上下中途部から後端に向かって窄まるテーパ１２ｂが形成されて、指による押圧作業の容易化が図られている。
また、胴部１２ａには、商品名を示すロゴやマーク等が一体的に突出成形されて、胴部１２ａ表面上に凹凸部１２ｇが形成されており、該凹凸部１２ｇにより、胴部１２ａ押圧時の滑り止めとなるように考慮されている。
【００１８】
前記容器本体１２は、例えばＰＰやＰＥ等の樹脂材料によって成形することができ、その他の材料を用いることも可能である。そして、射出成形法等の適宜の手段によって先端開口の略円筒状であって、先端の開口部１２ｄからジェル剤を容器本体１２内に注入することができるように形成されている。
【００１９】
ノズルカバー１３は、前記容器本体１２のノズル部１２ｃ及びくびれ部１２ｅの外周部に被装されている。すなわち、容器本体１２において、容器１０で内容物を塗布する際に皮膚に当接し、また、膣や肛門内等に容器１０を用いて内容物を注入する際に皮膚に接触する部分（容器１０のノズル１０ａ）は、ノズルカバー１３により被覆されていることとなる。
また、挿入時に変形することのないように比較的高い剛性が備えられている容器本体１２のノズル部１２ｃに対し、ノズルカバー１３は、天然ゴム、シリコーンゴム等のゴム素材より適宜選択された人体に対して害を与えることのない素材により構成されている。
【００２０】
従って、前記容器本体１２のノズル部１２ｃを被覆しているノズルカバー１３により、容器１０のノズル１０ａの肌当たりが優しくなり、痛みなくスムースに容器１０のノズル１０ａによる内容物の塗布や注入を行うことができる。
さらに、容器本体１２を成形する際にバリが形成されたとしても、ノズル部１２ｃがノズルカバー１３により被覆されるため、このバリにより塗布部が傷つけられることがなく、バリの処理においても高度な削り落とし加工を必要としない。従って、容器の安全性および高い使用感を維持しながら、製造コストを抑えることができる。
【００２１】
ノズルカバー１３は、先端が略半球面状に形成され、後端開放とされた略円筒状であって、容器本体１２のノズル部１２ｃとくびれ部１２ｅとを密着して被覆できる大きさに形成されている。従って、容器１０のノズル１０ａを、人体の所定の部位に挿入する際に、容器本体１２のノズル部１２ｃとの間でノズルカバー１３がよれることのないようにされている。
【００２２】
ノズルカバー１３の後端部には、内周側及び外周側に突出するフランジ部１３ａが形成されており、該フランジ部１３ａの内周側が、容器本体１２のくびれ部１２ｅに嵌合することによって、容器本体１２に対してノズルカバー１３が係止されている。
なお、ノズルカバー１３の後端開口部に、容器本体１２をノズル部１２ｃ先端側から挿入することにより、容器本体１２にノズルカバー１３を取り付ける。この際に、ノズルカバー１３が弾性変形して外周側へ拡がることによって、ノズルカバー１３に容器本体１２のノズル部１２ｃが挿入され、ノズルカバー１３のフランジ部１３ａが容器本体１２のくびれ部１２ｅに嵌合する位置まで移動させることができる。
【００２３】
一方、ノズルカバー１３のフランジ部１３ａの外周側は、ノズルカバー１３にキャップ１１を係止するために設けられている。ノズルカバー１３はゴム素材で構成されているため、キャップ１１内周部とノズルカバー１３のフランジ部１３ａとが接するときの摩擦力が、キャップ１１を位置固定するために十分に大きく、これにより、キャップ１１がノズルカバー１３に係止可能とされている。
【００２４】
そして、ノズルカバー１３の略半球面状に形成された先端部には、内容物の吐出口である十字状のスリット１３ｃが形成されている。該スリット１３ｃは、上面視において、容器本体１２のノズル部１２ｃ先端に形成された開口部１２ｄに重複する位置に設けられている。すなわち、容器本体１２に収容されている内容物は、容器本体１２の先端部に形成された開口部１２ｄを通過し、ノズルカバー１３の先端部に形成されたスリット１３ｃより吐出されることになる。
なお、スリット１３ｃは、ノズルカバー１３に設けた切れ目により構成されるものであり、容器内の内容物の吐出圧によりノズルカバー１３が変形し、切れ目が広がり、スリットと成るものである。
【００２５】
ノズルカバー１３に形成された内容物の吐出口を、孔ではなく、十字状のスリット１３ｃとすることで、容器本体１２の胴部１２ａを押圧して容器本体１２から内容物を吐出する際には、スリット１３ｃの十字の略中心部から内容物が吐出され、使用時以外には吐出口を閉じた状態とすることができる。
また、内容物がノズルカバー１３先端に吐出された状態で容器本体１２の胴部１２ａの押圧を解除した際には、スリット１３ｃが閉じ、内容物が容易に容器内に戻ることがない。スリット１３ｃの間隔が狭く、スリット１３ｃの端部から、潤滑剤に比べて流動性の高い空気が容器１０内に吸入されて、スリット１３ｃより吐出された内容物が容器本体１２内部に戻りにくくなっているためである。
【００２６】
なお、本実施例において、ノズルカバー１３に形成されるスリット１３ｃの形状は十字状としているが、米印状や星形状とすることもできる。すなわち、スリット１３ｃは、少なくとも１本もしくは複数本の線状の切れ目を交叉させて形成したものとすることができる。
また、本実施例において、ノズルカバー１３に形成されるスリット１３ｃは、ノズルカバー１３の先端としているが、容器１０の内容物に応じてノズルカバー１３の筒部に複数形成することもできる。このとき、ノズル１０ａの先端だけでなく、側面からも内容物が注出されて、特に、膣や肛門内に内容物を塗布しようとする際に、容器１０のノズル１０ａを注入することで、膣や肛門の内壁に効率的に内容物を塗布することができる。
【００２７】
上述の作用をするノズルカバー１３に形成された十字状のスリット１３ｃは、ノズルカバー１３の一部をカットすることにより構成される。
また、製造段階おいて容器本体１２に内容物を注入する際にスリット１３ｃを形成することも可能である。すなわち、容器本体１２に内容物を注入する際に、内容物の注入針がノズルカバー１３の取り付けられた容器本体１２の先端部に挿入されることによってスリット１３ｃが形成されるのである。本実施例においては、内容物の注入針には、十字状のスリット１３ｃを形成することの可能なカッターが設けられており、該カッターによりノズルカバー１３の先端に十字状のスリット１３ｃが形成されるとともに注入針が容器本体１２に挿入され、内容物が容器本体１２に注入される。
【００２８】
そして、定量の内容物が容器本体１２に注入されると、注入針が容器本体１２内から引き抜かれるが、このとき、注入針に付着している内容物（潤滑剤）がノズルカバー１３のスリット１３ｃ内周側に付着することによって、内容物の性質により、ノズルカバー１３に形成されたスリット１３ｃにおいて、ノズルカバー１３を構成するゴム等の樹脂同士が固着することなく閉じられ、容器本体１２内部がほぼ密閉された状態となる。
このようにして、容器１０の吐出口の開口、内容物の容器１０への注入、容器１０の密閉を一行程で行うことができ、製造コストの削減に寄与することができる。
【００２９】
キャップ１１は、容器１０のノズル１０ａの衛生状態を保持するために、ノズル１０ａ全体を包被するように取り付けられるものであり、すなわち、容器本体１２のノズル部１２ｃを被装しているノズルカバー１３を覆うように取り付けられている。従って、容器１０のみを携帯してもノズル１０ａの衛生状態が保持され、コンパクトな状態での携帯が容易となる。
【００３０】
キャップ１１は、先端部が略半球状であって閉じられ、後端が開放された略円筒状に形成されている。そして、該カバーの後端は外周側へ拡がるラッパ状の鍔１１ａが一体的に形成され、キャップ１１に容器１０のノズル１０ａを挿入しやすいように、また、鍔１１ａに指を掛けてキャップ１１の挿脱を行うことができるようにされている。
これにより、性交時において片手によりキャップ１１を外して、相手にわかりにくい状態で潤滑剤の塗布を行うことが可能である。
【００３１】
そして、キャップ１１の内部であって、先端部には、ノズル１０ａの先端が当接する当接部１１ｂが形成されて、キャップ１１装着時には、内容物の吐出口であるノズルカバー１３の先端部が、キャップ１１の当接部１１ｂに当接した状態とされて、キャップ１１装着時に容器本体１２の胴部１２ａを押圧しても内容物が吐出されることのないようにされている。また、キャップ１１は、その内周において、ノズルカバー１３の先端とノズルカバー１３のフランジ部１３ａ外周とに接することによって、ぐらつくことなく安定した状態で固定されることになる。
【００３２】
キャップ１１の内周はノズル１０ａの外周よりも一回り大きく、キャップ１１の内周と、ノズル１０ａの外周との間には間隙１４が形成されて、キャップ１１にノズル１０ａがスムースに挿入できるようにされている。該間隙１４は、キャップ１１装着時には、キャップ１１の当接部１１ｂと、ノズルカバー１３のフランジ部１３ａにより閉塞されている。
【００３３】
上述の如く構成した容器１０において、図９に示す如く、容器１０よりキャップ１１を取り外しノズル１０ａが現れた状態で、容器本体１２の胴部１２ａを押圧すると、ノズルカバー１３の先端に形成されたスリット１３ｃより容器本体１２内部に収容された内容物Ｐであるジェル剤が吐出される。
【００３４】
まず、容器１０のノズル１０ａ先端にジェル剤が吐出された状態で、外陰部や肛門やその周囲に容器１０のノズル部１２ｃ先端を利用してジェル剤を塗布する。塗布するジェル剤の量は、容器本体１２の胴部１２ａを押圧したり押圧を解除したりすることで調節することができる。
このようにして、塗布しようとする場所に直接指で触れることなく内容物であるジェル剤を塗布することができ、また、塗布しようとする場所以外に付着したり、塗布量が過剰となったりすることを防止することができる。
【００３５】
そして、ジェル剤を十分に塗布することができれば、容器１０に残存しているジェル剤を、膣や肛門内に注入する。この際に、容器１０のノズル１０ａを膣や肛門内に挿入した状態で、容器本体１２の胴部１２ａを押圧することにより、適宜量のジェル剤が膣や肛門内に注入される。
このようにして、注入しようとする場所に直接指で触れることなく内容物であるジェル剤を注入することができる。また、ノズル１０ａの挿入深さを調整することにより、所望の位置に内容物を注入することができる。
【００３６】
上述の如く、容器１０を利用して、内容物であるジェル剤の塗布及び注入を行うことで、指等にジェル剤が付着することなく、塗布及び注入の一連の作業を速やかに行うことができる。なお、容器１０は内容物の塗布及び注入のための容器とするだけでなく、内容物の塗布のための容器、又は、内容物の注入のための容器とすることができる。
また、容器１０には一回分に使用される適宜量が入れられており、内容物の塗布及び注入が終了すれば、容器１０は排棄するものとされている。従って、使い捨てタイプであるため衛生面において、菌の繁殖等のおそれがなく、また、携帯が容易である。
【００３７】
なお、ノズル１０ａが膣や肛門内に挿入し難い場合や痛みがある場合には、以下の方法によりノズル１０ａの外周部にジェル剤を塗着させて、挿入しやすい状態とすることができる。
図１０に示す如く、キャップ１１の後端内周がノズルカバー１３のフランジ部１３ａの外周に接した状態であって、キャップ１１の内部先端の当接部１１ｂとノズルカバー１３の先端が当接しない状態となるように、容器１０にキャップ１１を装着する。
この状態で、容器本体１２の胴部１２ａを押圧すると、ノズル１０ａ外周とキャップ１１内周との間に形成された間隙１４にジェル剤が充填され、これにより、ノズル１０ａ外周にジェル剤が塗着される。そして、キャップ１１を取り外して、ノズル１０ａを膣や肛門内に挿入すれば、より痛みがなく挿入し易い状態とすることができる。
【００３８】
【発明の効果】
本発明は、以上のように構成したので、以下に示すような効果を奏する。
【００３９】
即ち、請求項１に示す如く、内容物の塗布若しくは注入をするための容器であって、押圧変形可能な胴部と、人体の所定の部位に塗布若しくは挿入可能であって先端部に開口部を備えたノズル部とを、一体的に形成し、その内部に内容物を収納する容器本体と、略半球状に形成した先端部に内容物の吐出口を備え、容器本体のノズル部を被覆するノズルカバーと、該ノズルカバーの少なくともノズル部分を包被するキャップとを備えて成るので、ノズルカバーの素材により肌当たりの優しい、携帯可能な使い捨て容器を簡易構造により構成することができる。また、容器本体のノズル部がノズルカバーにより被覆されるため、容器本体の製造段階に生じたバリを削り落とす加工をする必要がない。
【００４０】
請求項２に示す如く、前記ノズルカバーに形成される吐出口を、少なくとも複数本の切れ目を交叉させて形成したスリットとしたので、使用時以外は閉じた状態とすることができる。また、内容物がノズルカバー先端に吐出された状態で容器の押圧を解除した際に、吐出された内容物が容器内部に戻らないようにすることができる。
【００４１】
請求項３に示す如く、前記ノズルカバーをゴム素材で構成したので、肌当たり良いノズルとすることができる。また、弾性変形を利用して容器本体のノズル部に装着することができる。
【図面の簡単な説明】
【図１】本発明に係る塗布・注入容器の全体的な構成を示す正面図。
【図２】塗布・注入容器の形態を示す正面図。
【図３】同じく左側面図。
【図４】同じく上面図。
【図５】同じく底面図。
【図６】キャップを外した塗布・注入容器の形態を示す正面図。
【図７】同じく上面図。
【図８】塗布・注入容器の全体的な構成を示す正面断面図。
【図９】塗布・注入容器の使用形態を示す図。
【図１０】ノズルの周囲に内容物を塗着させるときの塗布・注入容器を示す正面断面図。
【符号の説明】
１０  容器
１１  キャップ
１２  容器本体
１２ａ  胴部
１２ｃ  ノズル部
１２ｄ  開口部
１３  ノズルカバー
１３ｃ  スリット
【図１】
2004229887.tif 000003
【図２】
2004229887.tif 000004
【図３】
2004229887.tif 000005
【図４】
2004229887.tif 000006
【図５】
2004229887.tif 000007
【図６】
2004229887.tif 000008
【図７】
2004229887.tif 000009
【図８】
2004229887.tif 000010
【図９】
2004229887.tif 000011
【図１０】
2004229887.tif 000012